(57)【要約】【課題】  コンピュータ用冷却装置。【解決手段】  ケース内にマザーボード、ＣＰＵ、各電子設備が設けられたコンピュータにあってＣＰＵに取り付けられたヒートシンクと、上記ケースの両側にあって相互に対応するよう設けられると共にヒートシンクに対応する位置に設けられた複数の導風孔を具えたコンピュータ用冷却装置であり、外界の自然風を一側の導風孔よりケース内に吸入し、ケース内部の熱をもう一側の導風孔より外部に送出し、ゆえにケース内部の空気循環の流通効率を高め、ヒートシンクに急速な冷却を行なわせて、ヒートシンクの冷却効率を大幅に高める。【選択図】        図２
0003104375.tif 000002
【実用新案登録請求の範囲】
【請求項１】
コンピュータのケース、マザーボード及びヒートシンクを具え、
該ケースは前面、背面、左、右側面を具え、
該マザーボードにはＣＰＵ、各電子設備或いは部品が取り付けられ、
該ヒートシンクはＣＰＵに取り付けられてＣＰＵに対する冷却を行ない、
該ケースの左、右側面に側板が設けられ、左、右側板に複数の相互に対応する導風孔が設けられ、且つ左、右側板の導風孔がヒートシンクに対応するよう配置されたことを特徴とする、コンピュータ用冷却装置。
【請求項２】
請求項１記載のコンピュータ用冷却装置において、ヒートシンクが隣り合う第１フィンセットと第２フィンセットを具え、第１フィンセットと第２フィンセットの未隣接の一側に相互に対応する第１冷却ファンと第２冷却ファンが設けられ、第１冷却ファンと第２冷却ファンの羽根の回転方向が同じとされたことを特徴とする、コンピュータ用冷却装置。
【考案の詳細な説明】
【技術分野】
【０００１】
本考案は一種のコンピュータ用冷却装置に係り、特に、コンピュータ内部の空気循環の流通効率を高め、ＣＰＵに取り付けられたヒートシンクに急速な冷却を行なわせ、大幅にヒートシンクの冷却効率を高めて最良の冷却効果を達成させる、コンピュータ用冷却装置に関する。
【背景技術】
【０００２】
科学技術産業の急速な発展に伴い、コンピュータは演算実行上、ますます速度アップしている。ＣＰＵの演算速度が高くなると、その運転時に発生する熱量もますます高くなり、この密集した熱量を有効にコンピュータ外の環境に排出してＣＰＵを許容温度下で運転させるため、通常はＣＰＵにヒートシンクが取り付けられて、ＣＰＵの冷却を補助し、冷却能力を高めている。
【０００３】
一般にコンピュータのケースのほとんどは直方体であり、前面、背面、左右の側面を具え、ケースの前面にＦＤドライブ、ＣＤドライブ等が取り付けられ、ケースの背面に電源ソケット、各インタフェースのソケット、及び冷却ファン等が取り付けられ、これら冷却ファンはケース内部の空気を外部に排出するか、或いは空気をケース内に吸入してケース内部の温度を下げてＣＰＵに対する冷却効率を高める。
【０００４】
しかし、上述の周知のコンピュータは冷却時に冷却ファンが動作しても、空気流量が少なく、冷却速度が緩慢であり、空気対流の効率が低く、コンピュータ内部の熱空気を迅速に外部に排出できず、コンピュータ内に集中させるため、ＣＰＵのヒートシンクの冷却効率が悪くなり、ＣＰＵの冷却効果に影響が生じた。
【考案の開示】
【考案が解決しようとする課題】
【０００５】
本考案は上述の従来の技術の欠点を鑑み、一種のコンピュータ用冷却装置を提供する。それは、コンピュータ内部の空気循環の空気効率を高め、ＣＰＵ上のヒートシンクに急速に冷却動作させ、大幅にヒートシンクの冷却効率を高め、これにより最良の冷却効果を達成するものとする。
【課題を解決するための手段】
【０００６】
請求項１の考案は、
コンピュータのケース、マザーボード及びヒートシンクを具え、
該ケースは前面、背面、左、右側面を具え、
該マザーボードにはＣＰＵ、各電子設備或いは部品が取り付けられ、
該ヒートシンクはＣＰＵに取り付けられてＣＰＵに対する冷却を行ない、
該ケースの左、右側面に側板が設けられ、左、右側板に複数の相互に対応する導風孔が設けられ、且つ左、右側板の導風孔がヒートシンクに対応するよう配置されたことを特徴とする、コンピュータ用冷却装置としている。
請求項２の考案は、請求項１記載のコンピュータ用冷却装置において、ヒートシンクが隣り合う第１フィンセットと第２フィンセットを具え、第１フィンセットと第２フィンセットの未隣接の一側に相互に対応する第１冷却ファンと第２冷却ファンが設けられ、第１冷却ファンと第２冷却ファンの羽根の回転方向が同じとされたことを特徴とする、コンピュータ用冷却装置としている。
【考案の効果】
【０００７】
本考案のコンピュータ用冷却装置は、コンピュータ内部の空気循環の空気効率を高め、ＣＰＵ上のヒートシンクに急速に冷却動作させ、大幅にヒートシンクの冷却効率を高め、これにより最良の冷却効果を達成する。
【考案を実施するための最良の形態】
【０００８】
本考案のコンピュータ用冷却装置は、ケース内にマザーボード、ＣＰＵ、各電子設備が設けられたコンピュータにあってＣＰＵに取り付けられたヒートシンクと、上記ケースの両側にあって相互に対応するよう設けられると共にヒートシンクに対応する位置に設けられた複数の導風孔を具えたコンピュータ用冷却装置であり、外界の自然風を一側の導風孔よりケース内に吸入し、ケース内部の熱をもう一側の導風孔より外部に送出し、ゆえにケース内部の空気循環の流通効率を高め、ヒートシンクに急速な冷却を行なわせて、ヒートシンクの冷却効率を大幅に高める。
【０００９】
本考案のコンピュータ用冷却装置は、そのヒートシンクが相互に隣接する第１フィンセットと第２フィンセットを具え、また、二つのフィンセットの未隣接の一側に相互に対応する第１冷却ファンと第２冷却ファンが設けられ、二つの冷却ファンの羽根の回転方向が同じとされる。これにより、第１冷却ファンがケースの一側の導風孔より外界の風を二つのフィンセット部分に導入し、さらに第２冷却ファンが二つの冷却ファンセット部分の熱を付帯した空気を吸い出してもう一側の導風孔より外界に排出し、このように二つの冷却ファンの一方が吸入し、もう一方が排出する動作により、全体のコンピュータ内の空気流量を増して冷却効率を高める。
【実施例１】
【００１０】
図１に示されるように、コンピュータ１０は、ケース１を具え、該ケース１は直方体とされ、前面１１、背面１２、左、右側面１３、１４を具え、前面１１と背面１２間の距離が左、右側面１３、１４の距離より長く、ケース１の前面１１にＦＤドライブ、ＣＤドライブ等が取り付けられ、ケース１の背面１２に電源ソケット、各インタフェースソケット等が凸設されている。ケース１内にはマザーボード２が設けられ、マザーボード２にＣＰＵ２１、各電子部品等が設けられ、ＣＰＵ２１にヒートシンク３が取り付けられている。
【００１１】
本考案の最良の実施例によると、該ＣＰＵ２１に取り付けられたヒートシンク３は相互に隣り合う第１フィンセット３１と第２フィンセット３２を具え、また、第１フィンセット３１と第２フィンセット３２の未隣接の一側に相互に対応する第１冷却ファン３３と第２冷却ファン３４が設けられ、第１冷却ファン３３と第２冷却ファン３４の羽根の回転方向が同じとされている。当然、本考案はまた一つのフィンセット（第１フィンセット３１又は第２フィンセット３２）と一つの冷却ファン（第１冷却ファン３３又は第２冷却ファン）のみ使用したものとなしうる。
【００１２】
図２、３に示されるように、本考案中、該ケース１の左、右側面１３、１４に左、右側板４、５が設けられ、当然、ケース１の前面１１及び背面１２にはそれぞれ前面板６と背面板（図示せず）が設けられている。左、右側板４、５に複数の相互に対応する導風孔４１、５１が設けられ、且つ左、右側板４、５の導風孔４１、５１はヒートシンク３に対応している。
【００１３】
図４に示されるように、コンピュータ１０が運転後、ヒートシンク３もまたＣＰＵ２１に対する冷却を開始する。こうして、外界の風は右側板５の導風孔５１よりケース１内に吸入され、さらに第１冷却ファン３３の吸引が加わることで、外界の風が急速に導風孔５１よりケース１内に吸入され、且つ第１、第２フィンセット３１、３２部分に送られて冷却を行なう。続いて、第２冷却ファン３４が第１、第２フィンセット３１、３２部分の熱をケース１のもう一側の左側板４の導風孔４１より外界に吸い出し、こうして熱をケース１内に集積させない。
【００１４】
本実施例中、外界の自然風は一側の右側板５の導風孔５１よりケース１内に吸入され、ケース１内部の熱空気はもう一側の左側板４の導風孔４１より外界に排出され、且つ左、右側板４、５間の距離は比較的短いため、ケース１内部の空気循環の流通効率が高められ、ヒートシンク３に急速な冷却を行なわせることができ、これによりヒートシンク３の冷却効率を大幅に高めて最良の冷却効果を達成することができる。
【００１５】
総合すると、本考案のコンピュータ用冷却装置は上述に記載の構造により確実に上述の機能を達成する。且つ本考案の構造はこれまでになく、新規性を有している。なお、以上の実施例及び図面の記載に基づきなしうる細部の修飾或いは改変は、いずれも本考案の請求範囲に属するものとする。
【図面の簡単な説明】
【００１６】
【図１】本考案のコンピュータのケース、マザーボード、及びヒートシンクの立体分解図である。
【図２】本考案の左、右側板をコンピュータに組み付ける前の外観透視図である。
【図３】本考案のコンピュータの外観透視図である。
【図４】本考案の使用状況表示図である。
【符号の説明】
【００１７】
１０  コンピュータ                    １  ケース
１１  前面                            １２  背面
１３  左側面                          １４  右側面
２  マザーボード                      ２１  ＣＰＵ
３  ヒートシンク                      ３１  第１フィンセット
３２  第２フィンセット                ３３  第１冷却ファン
３４  第２冷却ファン                  ４  左側板
５  右側板                            ４１、５１  導風孔
６  前面板
【図１】
0003104375.tif 000003
【図２】
0003104375.tif 000004
【図３】
0003104375.tif 000005
【図４】
0003104375.tif 000006